【事件の表示】
　特許第３２５６５０７号「脂肪相に分散するポリマー粒子と脂溶性ポリマーを含有する耐移り性化粧品用組成物」の請求項１〜２２に係る特許に対する特許異議の申立てについて、次のとおり決定する。
【結　論】
　訂正を認める。
　特許第３２５６５０７号の請求項１〜１９に係る特許を維持する。
【理　由】
理由             　
１．手続の経緯
　本件特許第３２５６５０７号の請求項１〜２２に係る発明は、平成１０年１２月１５日（パリ条約による優先権主張１９９７年１２月２２日　フランス国）に特許出願され、平成１３年１１月３０日に特許権の設定の登録がされた後、その特許について、川口明子より特許異議の申立てがされ、当審による取消理由通知の意見書提出の指定期間内である平成１５年11月１4日に、明細書の訂正請求がされた。
　
２．訂正の適否についての判断
（１）訂正の内容
訂正事項ａ
　登録時の特許請求の範囲の請求項１の
「【請求項１】液状脂肪相と少なくとも１つの着色物質を含有してなる耐移り性の局所適用用組成物において、組成物の全重量に対して乾燥物質として少なくとも２重量％の、該液状脂肪相に分散可能なポリマーと、この脂肪相に溶解するポリマーとを、さらに含有することを特徴とする組成物。」を
「【請求項１】液状脂肪相と少なくとも１つの着色物質を含有してなる耐移り性の口紅又はファンデーション用組成物において、組成物の全重量に対して乾燥物質として少なくとも２重量％の、該液状脂肪相に分散可能なポリマーと、この脂肪相に溶解するポリマーとを、さらに含有することを特徴とする組成物であって、
　前記分散可能なポリマーが、ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、脂肪鎖またはアルキド類を有するポリエステル；アクリル酸のポリマーまたはコポリマー；ポリアクリルアミドおよびそれらの混合物から選択され、
　前記脂肪相に溶解するポリマーが、飽和または不飽和、直鎖状または分枝状で、Ｃ１−Ｃ８アルキル基を有するアルキルセルロース、ビニルピロリドンのコポリマー、およびそれらの混合物から選択されることを特徴とする組成物。」と訂正する。　
　
訂正事項ｂ
登録時の請求項８の
「【請求項８】安定化剤が、連鎖状のポリマー、グラフト化ポリマー、ランダムポリマーおよびそれらの混合物から選択されることを特徴とする請求項７に記載の組成物。」を
「【請求項７】安定化剤が、連鎖状のポリマー、グラフト化ポリマー、ランダムポリマーおよびそれらの混合物から選択されることを特徴とする請求項４に記載の組成物。」と訂正する
　
訂正事項ｃ
登録時の請求項１５の
「【請求項１５】粉末状化合物とポリマーとが、１未満の顔料／ポリマーの比率で存在していることを特徴とする請求項１４に記載の組成物。」を
「【請求項１３】粉末状化合物と分散可能なポリマーとが、１未満の顔料／分散可能なポリマーの比率で存在していることを特徴とする請求項１２に記載の組成物。」と訂正する。　
　
訂正事項ｄ　
登録時の請求項２２の
「【請求項２２】液状脂肪相と、着色物質および化粧品用、皮膚科学的、衛生用または製薬用活性成分、およびそれらの混合物から選択される少なくとも１つの成分とを含有する口紅又はファンデーション用組成物の液状脂肪相に、組成物の全重量に対して乾燥物質として少なくとも２重量％の、該液状脂肪相に分散可能な少なくとも１つのポリマーと、この脂肪相に溶解する少なくとも１つのポリマーを導入することからなる、該組成物の皮膚および唇以外の物質への移りを制限し、さらにはなくするための美容方法。」を、
「【請求項１９】液状脂肪相と、着色物質および化粧品用、皮膚科学的、衛生用または製薬用活性成分、およびそれらの混合物から選択される少なくとも１つの成分とを含有する口紅又はファンデーション用組成物の液状脂肪相に、組成物の全重量に対して乾燥物質として少なくとも２重量％の、該液状脂肪相に分散可能な少なくとも１つのポリマーと、この脂肪相に溶解する少なくとも１つのポリマーを導入することからなる、該組成物の皮膚および唇以外の物質への移りを制限し、さらにはなくするための美容方法であって、
　前記分散可能なポリマーが、ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、脂肪鎖またはアルキド類を有するポリエステル；アクリル酸のポリマーまたはコポリマー；ポリアクリルアミドおよびそれらの混合物から選択され、
　前記脂肪相に溶解するポリマーが、飽和または不飽和、直鎖状または分枝状で、Ｃ１−Ｃ８アルキル基を有するアルキルセルロース、ビニルピロリドンのコポリマー、およびそれらの混合物から選択されることを特徴とする方法。」と訂正する。
　
訂正事項ｅ
登録時の請求項５〜７及び９〜２２において、登録時の請求項５、１１及び２０を削除し、それら以降の請求項の番号を繰り上げる。
　
（２）訂正の適否
ａ．訂正事項ａは、液状脂肪相に分散可能なポリマー及び脂肪相に溶解するポリマーを、登録時の請求項５及び請求項１１に具体的に記載されたものを更に限定したものである「分散可能なポリマーが、ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、脂肪鎖またはアルキド類を有するポリエステル；アクリル酸のポリマーまたはコポリマー；ポリアクリルアミドおよびそれらの混合物」及び「脂溶性ポリマーが、飽和または不飽和、直鎖状または分枝状で、Ｃ１−Ｃ８アルキル基を有するアルキルセルロース、ビニルピロリドンのコポリマー、およびそれらの混合物」に限定し、用途を「口紅又はファンデーション」に限定する訂正であり、特許請求の範囲の減縮を目的とする訂正である。　
ｂ．訂正事項ｂは、引用する請求項の番号についての明白な誤記を訂正するものであるから、誤記の訂正を目的とする訂正である。
ｃ．訂正事項ｃは、ポリマーが分散可能なポリマーであることを明確にするものであるから、明りょうでない記載の釈明を目的とする訂正である。
ｄ．訂正事項ｄは、液状脂肪相に分散可能なポリマー及び脂肪相に溶解するポリマー並びに用途を、訂正事項ａと同様に限定する訂正であり、特許請求の範囲の減縮を目的とする訂正である。　
ｅ．訂正事項ｅは請求項５、１１及び２０を削除し、それら以降の請求項の番号を繰り上げる訂正であるので、特許請求の範囲の減縮及び明りょうでない記載の釈明を目的とする訂正である。
　
　そして、上記訂正事項ａ〜ｅは、いずれも願書に添付した明細書に記載した事項の範囲内の訂正であり、また、特許請求の範囲を拡張し、又は変更するものでもないから、特許法第１２０条の４第２項ただし書き並びに同法第１２０条の４第３項で準用する同法第１２６条第２項及び第３項の規定に適合するものであるので、訂正を認める。
　
３．特許異議の申立てについての判断
ア．申立理由の概要
（ア−１）　異議申立人は、本件特許の請求項１〜９及び請求項１１〜２２に係る発明は、甲１〜５号証に記載された発明であり、或いは、甲１〜６号証に記載された発明から当業者が容易に発明できたものであって、特許法第２９条の規定に違反するから、請求項１〜９及び請求項１１〜２２に係る特許は特許法第１１３条第１項第２号の規定により取り消すべきである旨を主張する。
（ア−２）また、異議申立人は、本件特許の明細書の記載には下記ｃ〜の点で不備があり、特許法第３６条に規定する要件を満たしていないものであるので、本件特許は特許法第１１３条第１項第４号の規定により取り消すべきである旨を主張する。
ａ．請求項４、８、９、１０で使用されている「安定化剤」という用語は広義のものであるにも拘わらず、実施例にはポリマー分散体の例しかないので、当業者が実施できる程度に記載されていない。また、「安定化剤」という用語は抽象的で不明瞭であるので、発明が不明確である。
ｂ．「分散可能なポリマー」と「フィラー」に同じ例示があるので、全請求項を不明確にしている。  　
ｃ．請求項１５の「ポリマー」とは何を指しているか不明である。
　
イ．本件発明
　上記２．に示したように本件訂正は認められるから、本件特許に係る発明は、訂正明細書の特許請求の範囲の請求項１〜１９に記載された事項により特定される、次のとおりのものである。  　
　
【請求項１】液状脂肪相と少なくとも１つの着色物質を含有してなる耐移り性の口紅又はファンデーション用組成物において、組成物の全重量に対して乾燥物質として少なくとも２重量％の、該液状脂肪相に分散可能なポリマーと、この脂肪相に溶解するポリマーとを、さらに含有することを特徴とする組成物であって、　
　前記分散可能なポリマーが、ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、脂肪鎖またはアルキド類を有するポリエステル；アクリル酸のポリマーまたはコポリマー；ポリアクリルアミドおよびそれらの混合物から選択され、
　前記脂肪相に溶解するポリマーが、飽和または不飽和、直鎖状または分枝状で、Ｃ１−Ｃ８アルキル基を有するアルキルセルロース、ビニルピロリドンのコポリマー、およびそれらの混合物から選択されることを特徴とする組成物。
【請求項２】分散可能なポリマーが皮膜形成可能なものであることを特徴とする請求項１に記載の組成物。
【請求項３】化粧品用、皮膚科学的、衛生用または製薬用の活性成分から選択される少なくとも１つの活性成分を含有する請求項１に記載の組成物。
【請求項４】分散可能なポリマーが、少なくとも１つの安定化剤により界面が安定化した分散粒子の形態で提供されることを特徴とする請求項１に記載の組成物。
【請求項５】液状脂肪相が、鉱物、動物、植物または合成由来の炭素含有油、炭化水素含有油、フッ化油および／またはシリコーン油の、単独物または混合物からなることを請求項１に記載の組成物。    　　
【請求項６】脂肪相が室温で揮発性である少なくとも１つの油を含有することを特徴とする請求項１に記載の組成物。     　
【請求項７】安定化剤が、連鎖状のポリマー、グラフト化ポリマー、ランダムポリマーおよびそれらの混合物から選択されることを特徴とする請求項４に記載の組成物。
【請求項８】安定化剤が、炭化水素含有鎖がグラフトしたシリコーンポリマー；シリコーン鎖がグラフトした炭化水素含有ポリマー；ポリヒドロキシステアリン酸型の可溶性のグラフト部と、ポリアクリル型の不溶性の骨格を有するグラフト化コポリマー；少なくとも１つのポリオルガノシロキサン型のブロックと少なくとも１つのラジカルポリマーのブロックを含有するグラフト化または連鎖状ブロックコポリマー；少なくとも１つのポリオルガノシロキサン型のブロックと少なくとも１つのポリエーテルのブロックを含有するグラフト化または連鎖状ブロックコポリマー；Ｃ１−Ｃ４アルコールのアクリラートまたはメタクリラートとＣ８−Ｃ３０アルコールのアクリラートまたはメタクリラートのコポリマー；ジエンの重合により生じる少なくとも１つのブロックと少なくとも１つのビニルポリマーのブロックを含有するグラフト化または連鎖状ブロックコポリマー；ジエンの重合により生じる少なくとも１つのブロックと少なくとも１つのアクリルポリマーのブロックを含有するグラフト化または連鎖状ブロックコポリマー；またはジエンの重合により生じる少なくとも１つのブロックと少なくとも１つのポリエーテルのブロックを含有するグラフト化または連鎖状ブロックコポリマーから選択される請求項７記載の組成物。
【請求項９】安定化剤が、ジエンの重合により生じる少なくとも１つのブロックと少なくとも１つのビニルポリマーのブロックを含有する、グラフト化または連鎖状ブロックコポリマーであることを特徴とする請求項７に記載の組成物。
【請求項１０】液状脂肪相に溶解するポリマーが、Ｃ８−Ｃ２２アルケンとビニルピロリドンのコポリマーから選択されることを特徴とする請求項１に記載の組成物。
【請求項１１】植物、動物、鉱物、合成またはシリコーン由来のロウ、ガムおよび／またはペースト状脂肪物質、およびそれらの混合物から選択される、少なくとも１つの付加的な脂肪相をさらに含有する請求項１に記載の組成物。
【請求項１２】着色物質に、フィラーおよび／または顔料および／または真珠光沢剤から選択される少なくとも１つの粉末状化合物が含まれることを特徴とする請求項１に記載の組成物。
【請求項１３】粉末状化合物と分散可能なポリマーとが、１未満の顔料／分散可能なポリマーの比率で存在していることを特徴とする請求項１２に記載の組成物。
【請求項１４】粉末状化合物が、組成物の全重量に対して４０％までであることを特徴とする請求項１２に記載の組成物。
【請求項１５】分散可能なポリマーが、乾燥物質として、組成物の全重量に対して６０％以下であることを特徴とする請求項１に記載の組成物。
【請求項１６】分散可能なポリマーが、乾燥物質として、組成物の全重量に対して１２〜６０％であることを特徴とする請求項１に記載の組成物。
【請求項１７】無水の形態で提供される請求項１に記載の組成物。
【請求項１８】耐移り性および／または良好な付着感を有する皮膜を皮膚および／または唇上に形成可能である請求項１に記載の組成物。
【請求項１９】液状脂肪相と、着色物質および化粧品用、皮膚科学的、衛生用または製薬用活性成分、およびそれらの混合物から選択される少なくとも１つの成分とを含有する口紅又はファンデーション用組成物の液状脂肪相に、組成物の全重量に対して乾燥物質として少なくとも２重量％の、該液状脂肪相に分散可能な少なくとも１つのポリマーと、この脂肪相に溶解する少なくとも１つのポリマーを導入することからなる、該組成物の皮膚および唇以外の物質への移りを制限し、さらにはなくするための美容方法であって、　前記分散可能なポリマーが、ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、脂肪鎖またはアルキド類を有するポリエステル；アクリル酸のポリマーまたはコポリマー；ポリアクリルアミドおよびそれらの混合物から選択され、
　前記脂肪相に溶解するポリマーが、飽和または不飽和、直鎖状または分枝状で、Ｃ１−Ｃ８アルキル基を有するアルキルセルロース、ビニルピロリドンのコポリマー、およびそれらの混合物から選択されることを特徴とする方法。
  　
ウ．甲号証記載の発明
　異議申立人が提出した甲第１〜６号証には、それぞれ以下の事項が記載されている。
       　
甲第１号証：特開平９−３０１８２５号公報
(1-1)「粉砕された状態のシリコーンエラストマー、粘着性樹脂および微粒子粉体を配合することを特徴とするメイクアップ化粧料。」（特許請求の範囲、請求項１）
(1-2)「本発明は、転写防止効果、化粧効果持続性および感触に優れたメイクアップ化粧料に関する。」（【０００１】）
(1-3)　「本発明で用いるシリコ−ンエラストマーとは、電子顕微鏡を用いた観察による一次粒子径が０．１〜２００μｍの範囲にあるシリコーン系樹脂粉体」（【０００８】）
(1-4)　「本発明で言う粉砕された状態のシリコーンエラストマーとは、上記のシリコーンエラストマーを溶剤または油剤を用いて湿式粉砕したもの」（【０００９】）
(1-5)　「本発明で用いる粘着性樹脂としては・・・水不溶性または水難溶性の樹脂であり・・・具体的には、トリメチルシロキシケイ酸等のシリコーン樹脂化合物、フッ素化シリコーン樹脂、アクリル化シリコーングラフト共重合体や有機系紫外線吸収剤で変性されたシリコーン樹脂、トリメチルシリル化有機粘剤、・・・ポリビニルピロリドン系樹脂・・・など、従来公知の樹脂化合物を用いることができる」（【００１１】）
(1-6)　「これらの樹脂は、従来化粧品に使用されている油剤や溶剤、例えば・・・などの油剤を用いて溶解または膨潤させて用いることが好ましい。」（【００１２】）
 1-7)  「微粒子粉体の材質としては、二酸化チタン、酸化亜鉛、酸化アルミニウム、酸化ジルコニウム、無水珪酸、硫酸バリウム、炭酸カルシウム、酸化セリウム、黄色酸化鉄、黒酸化鉄、ベンガラ、低次酸化チタン、カーボンブラック、金、銀等が挙げられる」（【００１３】）
(1-8) 「本発明のメイクアップ化粧料で用いる、粉砕された状態のシリコーンエラストマー、粘着性樹脂および微粒子粉体の配合量としては、メイクアップ化粧料１００重量部中に、それぞれの重量比（固形分換算）が１〜４０：１〜４０：０．５〜８０の範囲にあることが好ましい。」（【００１５】）
(1-9)　「本発明のメイクアップ化粧料では、上記の各成分以外に、通常化粧料に用いられる油剤・・・等の成分を本発明の目的を損なわない範囲で同時に配合することができる。」（【００１６】）
  　
甲第２号証：特開平９−１４３０２９号公報
(2-1)　「化粧料１００重量％中、（Ａ）珪素含有樹脂粉体０．５〜４０重量％（Ｂ）環状シリコーンに溶解する有機珪素系樹脂化合物０．１〜４０重量％の配合比率を有し、かつ使用時に（Ａ）と（Ｂ）からなる複合皮膜を形成し得ることを特徴とする化粧料。」（特許請求の範囲、請求項１）
(2-2)　「本発明は・・・さらに詳しくは・・・感触および化粧効果持続性、転写防止効果に優れた化粧料に関する。」（【０００１】）
(2-3)　「本発明で用いる有機珪素系樹脂化合物としては、・・・水不溶性の化合物であり、分子内に珪素、酸素、炭素の各元素を有する化合物が挙げられ、例えば、・・・シリコーン樹脂化合物、・・・などの各種変性シリコーン樹脂化合物が挙げられる。」（【００１２】）
(2-4)　「本発明では、上記の珪素含有樹脂粉体と有機珪素系樹脂化合物からなる複合皮膜を形成することが必要である。」（【００１３】）
(2-5)　「本発明の珪素含有樹脂粉体と有機珪素系樹脂化合物の区分としては、・・・環状シリコーンに溶解するものを有機珪素系樹脂化合物とし、溶解せずにその粉体形状を維持するものを珪素含有樹脂粉体とする。」（【００１９】
(2-6)　「本発明の化粧料では、上記の各成分以外に、通常化粧料に用いられる粉体類、油剤、シリコーン油、・・・等を同時に配合することができる。」（【００２０】）
(2-7)　「粉体の例としては、・・・等の色素、・・・等の有色顔料、・・・が挙げられる。」（【００２１】）
　
甲第３号証：特開平７−１８７９５１号公報
(3-1)「分子鎖の片末端にラジカル重合性基を有するジメチルポリシロキサン化合物とアクリレートおよび／またはメタクリレートを主体とするラジカル重合モノマーとをラジカル共重合して得たアクリル−シリコーン系グラフト共重合体、皮膜形成能を有する合成樹脂エマルジョンの一種または二種以上、油剤および／または溶剤の一種または二種以上、および粉体を含有することを特徴とするメークアップ化粧料。」（特許請求の範囲、請求項２）
(3-2)「本発明は、・・・さらに詳細には耐水性、耐油性、化粧崩れや化粧移りの防止効果に優れ、化粧持続性にも優れたメークアップ化粧料に関する。」（【０００１】）
(3-3)　「このアクリル−シリコーン系グラフト共重合体の配合量は本発明メークアップ化粧料全体の３〜３０重量％（以下、単に％で示す）の範囲であることが好ましい。」（【００１３】）
　　(3-4)「皮膜形成能を有する合成樹脂エマルジョンは、例えばアクリル酸エチル・メタクリル酸エチル共重合体エマルジョン、・・・、ポリメタクリル酸エチルエマルジョン等、化粧料で一般的に用いられる、皮膜形成を目的として使用される合成樹脂エマルジョン」（【００１４】）
(3-5)　「合成樹脂エマルジョンの配合量は、本発明メークアップ化粧料全体の５〜７０％が好ましい。」（【００１５】）
(3-6)　「油剤は、メークアップ化粧料中において上記アクリル−シリコーン系グラフト共重合体を溶解するものである」（【００１６】）
(3-7)　「粉体は、・・・例えば無機着色顔料、無機白色顔料、有機顔料等の着色料、パール剤、体質顔料、有機粉末等である。」（【００２５】）
　
甲第４号証：特開平8-295620号公報
(4-1)「製品１００重量部に対して、平均一次粒子径が５〜１００ｎｍの範囲にある撥水化処理微粒子金属酸化物０．５〜１５重量部と、ポリオキシアルキレン変性オルガノポリシロキサン０．２〜１５重量部と、エラストマー及び／または樹脂系ワックス０．４〜３０重量部を配合してなるサンスクリーン剤。」（【請求項１】）　
(4-2) 「本発明のサンスクリーン剤では、上記の各成分以外に、通常化粧料に用いられる粉体類、色素、樹脂、油剤、紫外線吸収剤、シリコーンオイル、界面活性剤、香料、防腐剤、殺菌剤、生理活性成分、粘剤、溶剤等を同時に配合することができる。」（【００２９】）
(4-3)「本発明のサンスクリーン剤において、有機系の紫外線吸収剤、特にＵＶ−Ａ領域をカットするものと、ＵＶ−Ｂ領域をカットするものを併用する場合では、製品系の安定化のために、ポリビニルピロリドン系のポリマーを併用することが好ましい。」（【００３６】）
  
甲第５号証：特開平７−２３３０２７号公報
(5-1)　「次の（１）、（２）および（３）の単位からなる有機フッ素変性シリコーン樹脂を含有することを特徴とする化粧料。
（１）Ｒ3ＳｉＯ1/2 単位
（２）ＳｉＯ2単位
（３）Ｒf2ＳｉＯ単位及び／又はＲf ＲＳｉＯ単位
［Ｒは炭素原子数１〜６までの炭化水素基またはフェニル基を表し、　Ｒfは、−（ＣＨ２）mＣnＦ2n+1（mは２〜４の整数、nは１〜１２の整数）を表す。］」（請求項１）
(5-2)　「本発明は、耐水性、耐汗性および耐油性が良好で、化粧持ちに優れた、肌に圧迫感がなく、安定性の優れた化粧料に関する。」（【０００１】）
(5-3)　「本発明の皮膚化粧料には上記の必須構成成分の他に、油分、・・・などの通常化粧品に配合される他の成分を配合することは可能である。」（【００１１】）
(5-4)「粉末としては通常化粧料に配合できるものならどんなものでもかまわないが、例えば・・・等のパール顔料、・・・等の天然色素などの通常化粧品に配合される粉末を配合することは可能である。」（【００１３】）
  　
甲第６号証：特開昭５３−９４０４１号公報
(6-1)　「皮膜形成成分として非水系ポリマーデイスパージョンを含有することを特徴とするメイキヤップ化粧料」（特許請求の範囲、第１項）
(6-2)　「（ａ）分散重合体・・・アクリル酸・・・と高級アルコールとのエステル類の重合体またはこれらの共重合体」（２頁左下欄第１３行〜右下欄第２行）
(6-3)　「本発明の化粧料は媒体も分散重合体も共に油性物質であるため完全な油性ベースが形成され、その皮膜は従来の水性エマルジョンを使用した化粧料に比較し、耐油性、耐水性、乾燥性等において著しく優れている。」（３頁左上欄第７〜１２行）
　　
エ．特許法第２９条について
ａ．請求項１に係る発明について
［特許法第２９条第１項第３号］
（ａ−１）甲第１号証との対比・判断
　訂正された本件請求項１に係る発明（以下、本件発明という。）と甲第１号証記載の発明とを比較すると、甲第１号証記載の「粉砕された状態のシリコーンエラストマー」は「溶剤または油剤をもって湿式粉砕したもの」であるから、溶剤または油剤に溶解しないものと解され、本件発明の「液状脂肪相に分散可能なポリマー」に相当するものである。また、その配合量も、甲第１号証には「粉砕された状態のシリコーンエラストマーの配合量は、メイクアップ化粧料１００重量部中に、重量比（固形分換算）が１〜４０の範囲にあることが好ましい」旨記載されているので、本件発明の「組成物の全重量に対して乾燥物質として少なくとも２重量％」の範囲と重複している。      　
　甲第１号証記載の「粘着性樹脂」は「水不溶性または水難溶性」であること、さらに、甲第１号証には「粘着性樹脂」として「ポリビニルピロリドン系樹脂」が例示されており、「ポリビニルピロリドン系樹脂」にはポリビニルピロリドンのポリマーとコポリマーとがあり、一方、本件発明における脂肪相に溶解するポリマーとしてはビニルピロリドンのコポリマーが記載されているので、甲第１号証記載の「粘着性樹脂」は本件発明の「脂肪相に溶解するポリマー」に相当すると認められる。
　そして、甲第１号証記載の「微粒子粉体」はその材質からみて、本件発明の「着色物質」に相当し、また、甲第１号証記載の「油剤」及び「転写防止効果に優れたメイクアップ化粧料」は、本件発明の「液状脂肪相」及び「耐移り性の口紅又はファンデーション用組成物」に相当する。
　
　そうすると、本件発明と甲第１号証の発明は、「液状脂肪相と少なくとも１つの着色物質を含有してなる耐移り性の局所適用用組成物において、組成物の全重量に対して乾燥物質として少なくとも２重量％の、該液状脂肪相に分散可能なポリマーと、この脂肪相に溶解するポリマーとを、さらに含有することを特徴とする組成物であって、前記脂肪相に溶解するポリマーが、ビニルピロリドンのコポリマーであることを特徴とする耐移り性の口紅又はファンデーション用組成物。」である点で一致しているが、「分散可能なポリマー」を、本件発明は「ポリウレタン、ポリウレタン−アクリル、ポリ尿素、ポリ尿素−ポリウレタン、ポリエステルーポリウレタン、ポリエーテル−ポリウレタン、ポリエステル、ポリエステルアミド、脂肪鎖またはアルキド類を有するポリエステル；アクリル酸および／またはビニルのポリマーまたはコポリマー；ポリアクリルアミド；フッ化ポリマーおよびそれらの混合物」に特定しているのに対して、甲第１号証に記載の発明では「粉砕された状態のシリコーンエラストマー」である点で相違しているので、両者は同一ではない。
　
（ａ−２）甲第２号証との対比・判断
　甲第２号証には、分散可能なポリマーである「珪素含有樹脂粉体」と脂肪相に溶解するポリマーである「環状シリコーンに溶解する有機珪素樹脂化合物」が記載されているが、これらはいずれも珪素系のポリマーであって、本件発明の「分散可能なポリマー」及び「脂肪相に溶解するポリマー」とは異なるので、両者は同一ではない。
　
（ａ−３）甲第３号証との対比・判断
　甲第３号証には、脂肪相に溶解するポリマーである「分子鎖の片末端にラジカル重合性基を有するジメチルポリシロキサン化合物とアクリレートおよび／またはメタクリレートを主体とするラジカル重合モノマーとをラジカル共重合して得たアクリル−シリコーン系グラフト共重合体」が記載されているが、これは珪素系のポリマーであって、本件発明の「脂肪相に溶解するポリマー」とは異なるので、両者は同一ではない。
　
(ａ−４)甲第４号証との対比・判断
　甲第４号証に記載された発明は「サンスクリーン剤」に係るものであって、本件発明の「耐移り性の口紅又はファンデーション用組成物」とは異なっており、両者は同一ではない。
  　
（ａ−５）甲第５号証との対比・判断
　甲第５号証には、脂肪相に溶解するポリマーである（１）、（２）および（３）の単位からなる有機フッ素変性シリコーン樹脂が記載されているが、これは珪素系のポリマーであって、本件発明の「脂肪相に溶解するポリマー」と異なるので、両者は同一ではない。
　
　したがって、請求項１に係る発明は、甲第１〜５号証に記載された発明ではなく、特許法第２９条第１項第３号に該当しない。
　
［特許法第２９条第２項］    　
　甲第６号証には、アクリル酸ポリマーまたはコポリマー等の分散可能なポリマー、液状脂肪相と少なくとも１つの着色物質を含有してなる耐移り性のメイキャップ化粧料が記載されているが、脂肪相に溶解するポリマーを更に用いることは記載されていない。そうすると、甲第１〜６号証の記載を総合しても、特定の「分散可能なポリマー」と特定の「脂肪相に溶解するポリマー」を併用した本件発明の耐移り性の口紅又はファンデーション組成物を、当業者が容易に想到し得るとはいえない。
　したがって、請求項１に係る発明は、甲第１〜６号証に記載された発明に基づいて当業者が容易に発明できたものではないので、特許法第２９条第２項の規定に違反するものではない。
　
ｂ．請求項２〜８及び請求項１０〜１９について
　請求項２〜８及び請求項１０〜１８は、いずれも、請求項１に係る組成物の構成をさらに限定したものであり、請求項１９は、請求項１に係る発明を異なるカテゴリーで表現したものであるから、請求項１に係る発明と同様に、異議申立人が提出した甲１〜５号証に記載された発明ではなく、また異議申立人が提出した甲１〜６号証に記載された発明に基づいて、当業者が容易に発明できたものでもない。
　
オ．特許法第３６条について
ａ．請求項４、７、８、９（訂正前の請求項４、８、９、１０）で使用されている「安定化剤」という用語はこの分野で広く使用されているものであって発明を不明確にする用語とはいえず、実施例を含め、本件明細書には、当業者がこれらの請求項に係る発明を実施できる程度に明確かつ十分に記載されている。
ｂ．訂正により、「分散可能なポリマー」には、請求人が「フィラー」に同じ例示があると指摘したシリコンポリマーもフッ化ポリマーも含まれないことが明らかになったので、請求人が指摘する不明りょうさは解消した。
ｃ．訂正により、請求項１３（訂正前の請求項１５）の「ポリマー」が「分散可能なポリマー」であることが明りょうになった。　　
　したがって、本件明細書には請求人が指摘するような記載不備はない。
　　
４．むすび
　以上のとおりであるから、特許異議の申立ての理由及び証拠によっては、本件の請求項１〜１９に係る発明についての特許を取り消すことができない。　　　　
　よって、結論のとおり決定する。  
【異議決定日】
平成１５年１２月１９日（２００３．１２．１９）
【訂正の要旨】
審決（決定）の【理由】欄参照。
（５４）【発明の名称】
脂肪相に分散するポリマー粒子と脂溶性ポリマーを含有する耐移り性化粧品用組成物
（５７）【特許請求の範囲】
　【請求項１】　液状脂肪相と少なくとも１つの着色物質を含有してなる耐移り性の
口紅又はファンデーション
であって、
　前記分散可能なポリマーが、ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、脂肪鎖またはアルキド類を有するポリエステル；アクリル酸のポリマーまたはコポリマー；ポリアクリルアミドおよびそれらの混合物から選択され、
　前記脂肪相に溶角するポリマーが、飽和または不飽和、直鎖状または分枝状で、Ｃ１−Ｃ８アルキル基を有するアルキルセルロース、ビニルピロリドンのコポリマー、およびそれらの混合物から選択されることを特徴とする組成物
　【請求項２】　分散可能なポリマーが皮膜形成可能なものであることを特徴とする請求項１に記載の組成物。
　【請求項３】　化粧品用、皮膚科学的、衛生用または製薬用の活性成分から選択される少なくとも１つの活性成分を含有する請求項１に記載の組成物。
　【請求項４】　分散可能なポリマーが、少なくとも１つの安定化剤により界面が安定化した分散粒子の形態で提供されることを特徴とする請求項１に記載の組成物。
　【請求項５】　液状脂肪相が、鉱物、動物、植物または合成由来の炭素含有油、炭化水素含有油、フッ化油および／またはシリコーン油の、単独物または混合物からなることを請求項１に記載の組成物。
　【請求項６】　脂肪相が室温で揮発性である少なくとも１つの油を含有することを特徴とする請求項１に記載の組成物。
　【請求項７】　安定化剤が、連鎖状のポリマー、グラフト化ポリマー、ランダムポリマーおよびそれらの混合物から選択されることを特徴とする請求項
４
　【請求項８】　安定化剤が、炭化水素含有鎖がグラフトしたシリコーンポリマー；シリコーン鎖がグラフトした炭化水素含有ポリマー；ポリヒドロキシステアリン酸型の可溶性のグラフト部と、ポリアクリル型の不溶性の骨格を有するグラフト化コポリマー；少なくとも１つのポリオルガノシロキサン型のブロックと少なくとも１つのラジカルポリマーのブロックを含有するグラフト化または連鎖状ブロックコポリマー；少なくとも１つのポリオルガノシロキサン型のブロックと少なくとも１つのポリエーテルのブロックを含有するグラフト化または連鎖状ブロックコポリマー；Ｃ１−Ｃ４アルコールのアクリラートまたはメタクリラートとＣ８−Ｃ３０アルコールのアクリラートまたはメタクリラートのコポリマー；ジエンの重合により生じる少なくとも１つのブロックと少なくとも１つのビニルポリマーのブロックを含有するグラフト化または連鎖状ブロックコポリマー；ジエンの重合により生じる少なくとも１つのブロックと少なくとも１つのアクリルポリマーのブロックを含有するグラフト化または連鎖状ブロックコポリマー；またはジエンの重合により生じる少なくとも１つのブロックと少なくとも１つのポリエーテルのブロックを含有するグラフト化または連鎖状ブロックコポリマーから選択される請求項
７
　【請求項９】　安定化剤が、ジエンの重合により得られる少なくとも１つのブロックと少なくとも１つのビニルポリマーのブロックを含有する、グラフト化または連鎖状ブロックコポリマーであることを特徴とする請求項
７
　【請求項１０】　液状脂肪相に溶解するポリマーが、Ｃ８−Ｃ２２アルケンとビニルピロリドンのコポリマーから選択されることを特徴とする請求項１に記載の組成物。
　【請求項１１】　植物、動物、鉱物、合成またはシリコーン由来のロウ、ガムおよび／またはペースト状脂肪物質、およびそれらの混合物から選択される、少なくとも１つの付加的な脂肪相をさらに含有する請求項１に記載の組成物。
　【請求項１２】　着色物質に、フィラーおよび／または顔料および／または真珠光沢剤から選択される少なくとも１つの粉末状化合物が含まれることを特徴とする請求項１に記載の組成物。
　【請求項１３】　粉末状化合物と
分散可能なポリマー
分散可能なポリマー
１２
　【請求項１４】　粉末状化合物が、組成物の全重量に対して４０％までであることを特徴とする請求項
１２
　【請求項１５】　分散可能なポリマーが、乾燥物質として、組成物の全重量に対して６０％以下であることを特徴とする請求項１に記載の組成物。
　【請求項１６】　分散可能なポリマーが、乾燥物質として、組成物の全重量に対して１２〜６０％であることを特徴とする請求項１に記載の組成物。
　【請求項１７】　無水の形態で提供される請求項１に記載の組成物。
　【請求項１８】　耐移り性および／または良好な付着感を有する皮膜を皮膚および／または唇上に形成可能である請求項１に記載の組成物。
　【請求項１９】　液状脂肪相と、着色物質および化粧品用、皮膚科学的、衛生用または製薬用活性成分、およびそれらの混合物から選択される少なくとも１つの成分とを含有する
口紅又はファンデーション
であって、
　前記分散可能なポリマーが、ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、脂肪鎖またはアルキド類を有するポリエステル；アクリル酸のポリマーまたはコポリマー；ポリアクリルアミドおよびそれらの混合物から選択され、
　前記脂肪相に溶解するポリマーが、飽和または不飽和、直鎖状または分枝状で、Ｃ１−Ｃ８アルキル基を有するアルキルセルロース、ビニルピロリドンのコポリマー、およびそれらの混合物から選択されることを特徴とする方法
【発明の詳細な説明】
　【０００１】
　【発明の属する技術分野】
　本発明は、脂肪相に分散可能なポリマーと脂溶性ポリマーを含有し、特に、化粧品、皮膚科学、製薬および／または衛生の分野用であることを意図した組成物に関する。より詳しくは、本発明は、人の顔とボディの両方の皮膚、粘膜、例えば唇および下瞼の内側、または皮膚骨格、例えばまつげ、眉毛、爪および髪の手入れ用および／またはメークアップ用の耐移り性組成物に関する。
　【０００２】
　この組成物は、特に、棒状または皿状に成型された製品の形態、例えば口紅またはリップバーム、成型ファンデーション、眼の下用のコンシーラ、アイシャドウまたはほ紅、または多かれ少なかれ流動的なペーストまたはクリームの形態、例えば液状ファンデーションまたは口紅、アイライナー、日光保護用組成物または皮膚の着色用組成物として提供される。
　【０００３】
　人の皮膚または唇をメークアップまたは手入れするための製品、例えばファンデーションまたは口紅は、一般的に、例えばロウ類および油類のような脂肪相、顔料および／またはフィラー、および場合によっては例えば化粧品用および／または皮膚科学的活性成分のような添加剤を含有している。また、これらは、ブラシで塗布される有色または無色のペーストの製造を可能にする柔軟なコンシステンシーを有する、いわゆる「ペースト状」製品を含むこともできる。
　【０００４】
　これらの組成物は、皮膚または唇に塗布すると、移ってしまうという欠点がある。すなわち、組成物が接触し得るある種の基部、特に、グラス、カップ、たばこ、衣類または皮膚に少なくとも部分的に付着し、シミを残すといった欠点がある。その結果、塗布した皮膜の持続性が劣ることとなり、ファンデーションまたは口紅組成物を規則的に繰り返し塗布する必要が生じる。さらに、特にブラウスの襟にこのような許容できないシミができると、女性の中には、この種のメークアップを使用しなくなる人もいる。
　【０００５】
　化粧品科学の研究者は、数年の間「耐移り性」の口紅組成物に、また最近ではファンデーション組成物に興味を抱いている。例えば、資生堂は、特開昭６１−６５８０９号公報において、（３次元網状組織を有する）シロキシシリケート樹脂、環状シリコーン鎖を含む揮発性シリコーン油、および粉末状フィラーを含有する「耐移り性」口紅組成物を提案している。同様に、ノエビア社は、特開昭６２−６１９１１号において、一または複数の炭化水素含有ロウと組み合わせて、一または複数の揮発性シリコーンを含有する「耐移り性」口紅、アイライナーおよびファンデーション組成物を開示している。
　【０００６】
　これらの組成物は、「耐移り性」が改善されているが、シリコーン油が蒸発した後に時間が経つと不快感（乾燥した感じや突張感）を生じる皮膜が唇上に残ってしまう不具合があり、このために、この種の口紅を使用した女性の中には、その使用を中止したりする人もいる。この種の組成物の快適感を改善するためには、非揮発性シリコーンまたは非シリコーン油を添加することができるが、その場合は「耐移り性」の効果が失われてしまう。
　【０００７】
　さらに近年では、プロクターアンドギャンブル社が、その国際公開ＷＯ９６／３６３０８号において、長時間の保持性、耐水性を備えるとともにシミを残さない油中水型エマルション系のマスカラ組成物を提案している。これらの組成物は、コポリオール型の親油性ポリマー、アルキルまたはアルコキシジメチコーンコポリオール型の界面活性剤、炭化水素含有油、顔料およびフィラー、並びにロウ類と組み合わせて、一般にラテックスとして知られている水不溶性ポリマーをとりわけ含有している。
　【０００８】
　シリコーン油およびシリコーン樹脂をベースとした組成物並びにラテックスをベースとした組成物では、得られる皮膜は艶のない着色したものになる。今日、女性は、光沢のある製品、特に唇に色彩を付与する製品を求めている。さらに、付着した皮膜の耐移り性は完全ではない。特に、著しい圧力や摩擦により、付着物の色調が劣化したり、これら皮膜と接触する基部へ再付着したりする。
　【０００９】
　また、欧州特許出願公開第４９７１４４号公報および欧州特許出願公開第２３５７２４４号公報には、ロウ類、軽もしくは揮発性油および顔料と組み合わせて、スチレン−エチレン−プロピレンのブロックコポリマーを含む、いわゆる「耐移り性」組成物が開示されている。これらの組成物は、あまり快適ではなく、化粧品特性も平凡で、処方が難しいといった欠点を有する。さらに、これらの組成物の「耐移り性」はかなり劣っている。
　【００１０】
　よって、上述した欠点を持たず、特に、著しいまたは激しい圧力や摩擦によってさえも、完全な「耐移り性」を有し、多かれ少なかれ光沢のある外観をもたらして消費者の要望を満足させ、時間が経っても塗布された皮膚または唇を乾燥させない組成物が今だもって必要とされている。
　【００１１】
　【課題を解決するための手段および発明の実施の形態】
　本出願人は、全く驚くべきことに、化粧品用、皮膚科学的、製薬用および／または衛生用組成物に、脂肪相に分散可能なポリマーと脂溶性ポリマーを使用すると、全く移らず、耐水性があり、同時に快適に塗布できて一日中付着している、非常に良好な保持力を持ち、光沢のある皮膜を得ることができることを見出した。この皮膜は、特に柔軟でフレキシブルであり、脂ぎってなく、べとつかない。
　【００１２】
　よって、本発明の主題は、液状脂肪相を含有してなる局所適用用組成物において、組成物の全重量に対して少なくとも２重量％の、該液状脂肪相に分散可能なポリマーと、該脂肪相に溶解するポリマーをさらに含有することを特徴とする組成物にある。
　この組成物は、特に、化粧品用、皮膚科学的、衛生用または製薬用組成物である。該組成物は、したがって、皮膚、粘膜およびケラチン繊維または皮膚骨格（体表面成長物）と融和性のある成分を含有する。
　【００１３】
　本発明の他の主題は、少なくとも１つの化粧品用、皮膚科学的、衛生用または製薬用液状脂肪相と室温で固体状の少なくとも１つのロウを含有し、成型製品の形態で提供される組成物において、組成物の全重量に対して少なくとも２重量％の、該液状脂肪相に分散可能なポリマーと、該脂肪相に溶解する少なくとも１つのポリマーをさらに含有することを特徴とする組成物にある。
　組成物は、有利には、化粧品用、皮膚科学的、衛生用または製薬用活性剤から選択される成分および着色物質（色材）を含有する。
　【００１４】
　本出願において使用することができる分散可能なポリマーまたはポリマー類は、どのような性質のものでもよい。したがって、ラジカルポリマー、重縮合物、天然由来のポリマー、およびそれらの混合物を使用することができる。ポリマーは、その特性の機能に応じてまた組成物に所望される後の用途に従い、当業者により選択できる。よって、ポリマーは皮膜を形成するものであってもなくてもよい。しかしながら、完全な「耐移り性」皮膜の生成のためには、特に皮膜を形成することができるポリマーが使用される。
　【００１５】
　本発明の組成物は、５００〜１００００００、好ましくは５０００〜１５０００の平均分子量を有する液状脂肪相に溶解する一または複数のポリマーを含有し得る。この脂溶性ポリマー（類）は、特に、皮膜をねばねばさせないで、耐移り性に無関係の特性である、その経時的な保持力を高めるという、皮膜の可塑剤としての役割を担っている。これらのポリマーは液状脂肪相のゲル化剤であってもなくてもよい。これらにより、組成物の粘度を増加させ、皮膜の艶があり、実際には光沢がある外観を高めることが可能になる。よって、これらのポリマーの量とその性質を変えることにより、皮膜の光沢度を調節することができ、これは処方者と使用者にはかなり価値のあることである。
　【００１６】
　本発明の組成物の脂溶性ポリマーは、有利には、組成物の全重量に対して０．５％〜４０％（活性物質として）、好ましくは２％〜２０％の量で使用される。
　これらの脂溶性ポリマーは、有利には、最高で３０℃の軟化温度を示す。
　本発明で使用可能な脂溶性ポリマーの例としては：ポリアルキレン、特にポリブテン、ポリ（メタ）クリラート、飽和または不飽和、直鎖状または分枝状で、Ｃ１−Ｃ８アルキル基を有するアルキルセルロース、例えばエチルセルロースおよびプロピルセルロース、脂肪相と融和性のあるシリコーンポリマー、およびビニルピロリドン（ＶＰ）のコポリマー、およびそれらの混合物を挙げることができる。
　【００１７】
　好ましくは、ビニルピロリドンとＣ２−Ｃ４０アルケン、より好ましくはビニルピロリドンとＣ３−Ｃ２０アルケンのコポリマーが使用される。本発明で使用可能なＶＰコポリマーの例としては、ＶＰ／酢酸ビニル、ＶＰ／メタクリル酸エチル、ＶＰ／メタクリル酸エチル／メタクリル酸、ＶＰ／エイコセン、ＶＰ／ヘキサデセン、ＶＰ／トリアコンテン、ＶＰ／スチレンまたはＶＰ／アクリル酸／メタクリル酸ラウリルのコポリマー、またはブチル化ポリビニルピロリドン（ＰＶＰ）を挙げることができる。
　【００１８】
　皮膜の光沢ばかりでなく、感触およびコンシステンシーの特性もより良好にするには、７０００〜７５００の平均分子量を有するＰＶＰ／ヘキサデセンコポリマーまたは８０００〜９０００の平均分子量を有するＰＶＰ／エイコセンコポリマーを使用するのが好ましい。
　【００１９】
　本発明の他の主題は、化粧品用、皮膚科学的、衛生用または製薬用の揮発性液状脂肪相、組成物の全重量に対して少なくとも２重量％の該脂肪相に分散可能なポリマー、この脂肪相に溶解する少なくとも１つのポリマー、および化粧品用、皮膚科学的、衛生用または製薬用活性成分から選択される少なくとも１つの成分、および場合によっては着色物質を含有してなる組成物にある。
　【００２０】
　本発明の他の主題は、少なくとも１つの化粧品用、皮膚科学的、衛生用または製薬用の液状脂肪相と、少なくとも１つのロウ、特に室温で固体状のロウを含有する成型製品の形態の組成物自体に、または該組成物の製造において、例えば唇のような粘膜および／または皮膚上に付着する組成物の皮膜の移りを低減させ、さらにはなくするために、該液状脂肪相に分散可能な少なくとも１つのポリマーと該脂肪相に溶解するポリマーを使用するこれらポリマーの用途にある。
　【００２１】
　本発明の他の主題は、化粧品用、皮膚科学的、衛生用または製薬用組成物自体に、または化粧品用、皮膚科学的、製薬用または衛生用組成物の製造において、人の粘膜および／または皮膚上に付着した組成物の皮膜が、皮膜と接触する基部へ移るのを低減させ、さらにはなくするために、液状脂肪相に分散可能で、皮膜を形成することのできる少なくとも１つのポリマーと、この脂肪相に溶解するポリマーを使用するこれらポリマーの用途にある。
　【００２２】
　本発明の他の主題は、液状脂肪相と、化粧品用、皮膚科学的、衛生用または製薬用活性成分、着色物質およびそれらの混合物から選択される少なくとも１つの成分を含有する局所適用用組成物自体に、またはその組成物の製造において、皮膚および／または粘膜、例えば唇上に付着する組成物の皮膜の移りを低減させ、さらにはなくするために、該液状脂肪相に分散可能な少なくとも１つのポリマーとこの脂肪相に溶解する少なくとも１つのポリマーを使用するこれらポリマーの用途にある。
　【００２３】
　本発明のさらなる主題は、唇または皮膚のそれぞれに、上述した化粧品用組成物を塗布することからなる、唇または皮膚の美容的手入れまたはメークアップのための方法にある。
　本発明のさらなる主題は、液状脂肪相と、着色物質および化粧品用、皮膚科学的、衛生用または製薬用活性成分、およびそれらの混合物から選択される少なくとも１つの成分を含有する、皮膚または唇のメークアップまたは手入れ用組成物の脂肪相に、該液状脂肪相に分散可能な少なくとも１つのポリマーと、この脂肪相に溶解する少なくとも１つのポリマーを導入することからなる、該組成物が皮膚および唇以外の基部へ該組成物が移るのを制限し、さらにはなくするための方法にある。
　【００２４】
　分散可能なポリマーは、有利には、少なくとも１つの安定化剤により、界面が安定化された分散粒子の形態で提供される。これは、組成物の全重量に対して少なくとも２重量％を占める。
　本発明の組成物に粒子分散体を使用する利点の一つは、脂肪相において粒子が、集塊を形成しないで個々の粒子の状態を維持していることであり、これはナノメートル粒径の無機粒子の場合にはなかったことである。ポリマー分散体の他の利点は、高レベルのポリマーの存在下でさえ、非常に流動性のある組成物（１３０センチポアズのオーダー）を得ることができることにある。
　【００２５】
　このような分散性のさらなる他の利点は、望むならば、ポリマー粒子の大きさを等級分けすることができ、また合成中に粒径の「多分散性」を調節することができることにある。よって、組成物中にある場合、また皮膚または唇に塗布された場合に、裸眼で可視できない非常に小さな粒子を得ることができる。粒子形態の顔料の場合は、粒子の平均粒径を変えることができないので、これは不可能である。
　【００２６】
　加えて、本発明の組成物は、皮膚、半粘膜または粘膜への展伸性および付着性、並びに滑らかで心地よい感触について特に有利な特性を示すことが見出されている。さらに、これらの組成物は、特に従来のメークアップ除去用ミルクを用いて、容易に除去できるといった利点を有する。高い「耐移り性」を有する従来の組成物は除去するのが非常に困難であったため、このことは全く驚くべきことである。一般的に、従来の組成物は、特定のメークアップ除去用製品と共に販売されており、使用者にさらなる制約が課せられている。
　【００２７】
　よって、本発明の組成物は、有利には、生理学的に許容可能な液状脂肪相中に、少なくとも１つのポリマーのほぼ球形の粒子の安定分散体を含有する。これらの分散体は、前記脂肪相中にポリマーのナノ粒子が安定して分散した形態で特に提供され得る。ナノ粒子は、好ましくは５〜６００ｎｍの大きさであり、６００ｎｍを越えると、粒子の分散体があまり安定ではなくなる。
　【００２８】
　本発明の組成物のポリマー分散体のさらなる利点は、ポリマーまたはポリマー系（ポリマーに可塑剤型の添加剤を加えたもの）のガラス転移温度（Ｔｇ）を変化させ、よって軟質のポリマーから多かれ少なかれ硬質のポリマーに変化させることができ、考慮される用途に応じて組成物の機械的性質を調節できることである。
　好ましくは、皮膚の温度以下の低いＴｇを有する、皮膜を形成することのできる分散可能なポリマーを使用することができる。よって、基体に塗布された場合に皮膜を形成することのできる分散体が得られ、これは従来の無機顔料の分散体を使用した場合にはなかった。
　【００２９】
　本発明の組成物において使用することができる分散可能なポリマーは、好ましくは２０００〜１０００００００の分子量と−１００℃〜３００℃のＴｇを有する。
　分散可能なポリマーが、所望される用途に対してはあまりに高いガラス転移温度を有する場合は、これに脂溶性ポリマー以外の付加的な可塑剤を組み合わせて、使用した混合物の温度をより低くすることができる。付加的な可塑剤は、適用分野において通常使用される可塑剤、特にポリマーの溶剤となりうる化合物から選択することができる。
　【００３０】
　皮膜を形成することのできる分散可能なポリマーとしては、好ましくは４０℃以下のＴｇを有する、アクリルまたはビニルのラジカルホモポリマーまたはコポリマー、特にアクリル酸と共重合していてもよいアクリル酸メチルを挙げることができる。
　皮膜を形成できない分散可能なポリマーとしては、好ましくは４０℃以上のＴｇを有する、架橋していてもよいビニルまたはアクリルのラジカルホモポリマーまたはコポリマー、例えばポリ（メチルメタクリラート）、ポリスチレンまたはポリ（ｔｅｒｔ−ブチルアクリラート）を挙げることができる。
　【００３１】
　本発明のポリマーは、限定するものではないが、次のポリマーまたはコポリマー：ポリウレタン、ポリウレタン−アクリル、ポリ尿素、ポリ尿素−ポリウレタン、ポリエステル−ポリウレタン、ポリエーテル−ポリウレタン、ポリエステル、ポリエステルアミド、アルキド類または脂肪鎖を含むポリエステル；アクリル酸および／またはビニルのポリマーまたはコポリマー；アクリル−シリコーンコポリマー；ポリアクリルアミド、シリコーンポリマー、フッ化ポリマーおそれらの混合物から選択することができる。
　【００３２】
　ポリマーが分散した液状脂肪相は、それらが均質で安定した混合物を形成し、考慮される用途と融和性がある限りは、特に、鉱物、動物、植物または合成由来の炭素含有油、炭化水素含有油、フッ化油および／またはシリコーン油から、単独または混合物として選択される、任意の化粧品的または皮膚科学的に許容可能な油、より一般に生理学的に許容可能な油からなる。
　「液状脂肪相」とは、室温で液状である任意の非水性媒体を意味するものと理解される。「揮発性脂肪相」とは、１時間未満で、室温において皮膚または唇から蒸発可能な任意の非水性媒体を意味するものと理解される。
　【００３３】
　しかして、炭化水素含有油、例えば流動パラフィンまたは流動ワセリン、ミンク油、タートル油、大豆油、ペルヒドロスクワレン、スイートアルモンド油、テリハボク油（ｃａｌｏｐｈｙｌｌｕｍ　ｏｉｌ）、パーム油、グレープシード油、ゴマ油、コーン油、パーリーム油（ｐａｒｌｅａｍ　ｏｉｌ）、アララ油（ａｒａｒａ　ｏｉｌ）、菜種油、ヒマワリ油、綿実油、アプリコット油、ヒマシ油、アボカド油、ホホバ油、オリブ油または穀物胚芽油；ラノリン酸、オレイン酸、ラウリン酸またはステアリン酸のエステル；脂肪エステル類、例えばミリスチン酸イソプロピル、パルミチン酸イソプロピル、ステアリン酸ブチル、ラウリン酸ヘキシル、アジピン酸ジイソプロピル、イソノナン酸イソノニル、パルミチン酸２−エチルヘキシル、ラウリン酸２−ヘキシルデシル、パルミチン酸２−オクチルデシル、２−オクチルドデシルミリスタートまたはラクタート、コハク酸ジ（２−エチルヘキシル）、リンゴ酸ジイソステアリル、トリイソステアリン酸グリセリルまたはトリイソステアリン酸ジグリセリル；高級脂肪酸、例えばミリスチン酸、パルミチン酸、ステアリン酸、ベヘン酸、オレイン酸、リノール酸、リノレン酸またはイソステアリン酸；高級脂肪アルコール、例えばセタノール、ステアリルアルコールまたはオレイルアルコール、リノレイルまたはリノレニルアルコール、イソステアリルアルコールまたはオクチルドデカノール；シリコーン油、例えば、ポリジメチルシロキサン（ＰＤＭＳ）で、フェニル化していてもよいもの、例えばフェニルトリメチコーン、またはヒドロキシル、チオールおよび／またはアミン基等の官能基または任意のフッ化脂肪族および／または芳香族基で置換されていてもよいもの；脂肪酸、脂肪アルコールまたはポリオキシアルキレンで変性したポリシロキサン、フッ化シリコーンまたは過フッ化シリコーンを挙げることができる。
　【００３４】
　有利には、室温と大気圧で揮発性である一または複数の油が使用される。これらの揮発性油は、例えば、室温と室圧で＞０の蒸気圧を有し、沸点＞３０℃の条件で、特に１０−３〜３００ｍｍＨｇである。これらの揮発性油は、完全に「耐移り性」を有する皮膜の生成に有利なものである。これらの油が蒸発した後、皮膚または粘膜上に柔軟でべとつかず、組成物が塗布された皮膚または唇の動きにそれぞれ追従する皮膜形成付着物が得られる。加えて、これらの揮発性油により、皮膚、粘膜または皮膚骨格に組成物を塗布することが一層容易になる。
　これらの油は、シリコーン鎖の末端にまたはペンダント位置にアルキルまたはアルコキシ基を含有していてもよいシリコーン油または炭化水素含有油とすることができる。
　【００３５】
　本発明において使用することができる揮発性油としては、８ｃｓｔ未満の粘度を有し、２〜７のケイ素原子を有する直鎖状または環状シリコーンで、１〜１０の炭素原子を有するアルキルまたはアルコキシ基を含んでいてもよいシリコーン、並びにＣ８−Ｃ１６イソパラフィンを挙げることができる。これらの揮発性油は、組成物の全重量に対して、特に３０〜９７．５重量％、好ましくは３０〜７５％である。
　本発明において使用可能な揮発性油としては、特に、オクタメチルシクロテトラシロキサン、デカメチルシクロペンタシロキサン、ヘキサデカメチルシクロヘキサシロキサン、ヘプタメチルヘキシルトリシロキサン、ヘプタメチルオクチルトリシロキサンまたはＣ８−Ｃ１６イソパラフィン、例えば「アイソパー」、ペルメチル（Ｐｅｒｍｅｔｙｌ）、特にイソドデカンを挙げることができる。
　【００３６】
　本発明の特定の実施態様にあっては、液状脂肪相は、
−　ハンセン溶解空間による包括溶解パラメータが１７（ＭＰａ）１／２未満の非水性液状化合物、
−　または、ハンセン溶解空間による包括溶解パラメータが２０（ＭＰａ）１／２以下のモノアルコール、
−　または、それらの混合物、
からなる群から選択される。
　【００３７】
　ハンセンの溶解空間による包括溶解パラメータδは、エリック・エー・グラルケ（Ｅｒｉｃ　Ａ．Ｇｒｕｌｋｅ）の「ポリマーハンドブック」（第３版、ＶＩＩ章、５１９−５５９頁）の文献「溶解パラメータ値」に、次の関係：
　　δ＝（ｄＤ２＋ｄＰ２＋ｄＨ２）１／２
［上式中、
−　ｄＤは、分子衝突中に励起される双極子の形成により生じるロンドンの分散力を特性付け、
−　ｄＰは、永久双極子間のデバイ相互作用力を特性付け、
−　ｄＨは、特定（水素結合、酸／塩基または供与体／受容体等の型）の相互作用力を特性付ける］
と定義されている。ハンセンによる３次元の溶解空間における溶媒の定義は、シー・エム・ハンセン（Ｃ．Ｍ．Ｈａｎｓｅｎ）の文献「３次元溶解パラメータ」［Ｊ．Ｐａｉｎｔ　Ｔｅｃｈｎｏｌ．３９、１０５（１９６７）］に記載されている。
　【００３８】
　ハンセンの溶解空間による包括溶解パラメータが１７（ＭＰａ）１／２以下の液状脂肪相としては、ポリオールと脂肪酸のエステル、特に、トリグリセリドから形成される植物性油、例えば、ヒマワリ油、ゴマ油または菜種油、または長鎖（すなわち、６〜２０の炭素原子を有するもの）の酸またはアルコールから誘導されるエステル、特にＲが、７〜１９の炭素原子を有する高級脂肪酸残基を表し、Ｒ’が３〜２０の炭素原子を有する炭化水素含有鎖を表す式ＲＣＯＯＲ’のエステル、例えば、パルミチン酸エステル、アジピン酸エステルおよび安息香酸エステル、特に、アジピン酸ジイソプロピルを挙げることができる。また、炭化水素、特に、流動パラフィン、流動ワセリンまたは水素化ポリイソブチレン、イソドデカン、または、揮発性のイソパラフィンである「アイソパー」を挙げることができる。さらに、シリコーン油、例えば、フッ化されていてもよい脂肪族および／または芳香族基、または例えば、ヒドロキシル、チオールおよび／またはアミン基のような官能基で置換されていてもよい、ポリメチルフェニルシロキサン、およびポリジメチルシロキサン、および揮発性のシリコーン油、特に環状油を挙げることができる。またさらに、（ｉ）６を越える炭素原子を有する直鎖状、分枝状または環状のエステル、（ｉｉ）６を越える炭素原子を有するエーテル、（ｉｉｉ）６を越える炭素原子を有するケトンから、単独または混合物として、選択される溶媒を挙げることができる。ハンセンの溶解空間による包括溶解パラメータが２０（ＭＰａ）１／２以下のモノアルコールとは、少なくとも６の炭素原子を有する脂肪族脂肪アルコールで、炭化水素含有鎖が置換基を含有していないものを意味するものと理解される。本発明のモノアルコールとしては、オレイルアルコール、デカノール、ドデカノール、オクタデカノールおよびリノレイルアルコールを挙げることができる。
　【００３９】
　非水性媒体の選択は、以下に示すように、分散可能なポリマーを構成するモノマーの性質および／または安定化剤の性質に基づいて当業者によりなされる。
　さらに、ポリマーが分散する液状脂肪相は、組成物の全重量に対して３０〜９７．５重量％、好ましくは３０〜７５重量％である。
　ポリマー分散体は、欧州特許出願公開第７４９７４７号公報に開示されているようにして製造することができる。重合は、分散体として、すなわち、安定化剤により形成粒子を保護しながら、形成中にポリマーを沈殿させることにより、行なうことができる。
　【００４０】
　よって、出発モノマー並びにラジカル開始剤を含有する混合物が調製される。この混合物は、本明細書の以下の記載において「合成溶媒」として知られる溶媒に溶解される。脂肪相が非揮発性油である場合、重合は無極性有機溶媒（合成溶媒）中で行われ、続いて非揮発性の油（上記合成油と混和性を有するものでなければならない）が添加され、合成溶媒が選択的に蒸留される。
　合成溶媒は、このように出発モノマーとラジカル開始剤がそこに溶解し、得られたポリマー粒子はそこで不溶であるように選択され、ポリマー粒子が形成されるとそこに沈殿する。特に、合成溶媒は、アルカン類、例えば、ヘプタン、イソドデカンまたはシクロヘキサンから選択することができる。
　【００４１】
　選択される脂肪物質が揮発性の油である場合、重合は、合成溶媒としてまた作用する該油中で直接行うことができる。また、モノマー並びにラジカル開始剤はそこに溶解するものでなければならず、得られたポリマーは、そこに不溶のものでなければならない。
　モノマーは、好ましくは、重合前の合成溶媒中に、反応混合物の重量に対して５〜２０重量％の割合で存在している。全てのモノマーが反応開始前に溶媒中に存在していてもよく、あるいはモノマーの一部を重合反応進行中に添加してもよい。
　ラジカル開始剤は、特に、アゾビスイソブチロニトリルまたはｔｅｒｔ−ブチルペルオキシ（２−エチルヘキサノアート）とすることができる。
　【００４２】
　分散可能なポリマー粒子は、重合中に、連鎖状ポリマー、グラフト化ポリマー、および／またはランダムポリマーの単独物または混合物でありうる安定化剤により、界面が安定化される。安定化は任意の既知の方法により行うことができ、特に、重合中に連鎖状ポリマー、グラフト化ポリマーおよび／またはランダムポリマーを直接添加することにより行なうことができる。
　また、安定化剤は、好ましくは重合前の混合物に存在する。しかし、特に、モノマーが連続的に添加される場合、安定化剤も連続的に添加することができる。
　出発モノマー混合物に対し、２〜３０重量％、好ましくは、５〜２０重量％の安定化剤を使用することができる。
　【００４３】
　グラフト化および／または連鎖状ポリマーが、安定化剤として使用される場合、合成溶媒は、該安定化ポリマーの連鎖状部またはグラフト部の少なくとも一部が該溶媒に可溶であり、連鎖状部またはグラフト部の他の部分がそれに不溶であるようなものから選択される。重合中に使用される安定化ポリマーは、合成溶媒に溶解するか分散するものでなければならない。さらに、その不溶性の連鎖状部またはグラフト部が、重合中に形成されるポリマーとある程度の親和力を有する安定化剤が好ましく選択される。
　【００４４】
　グラフト化ポリマーとしては、炭化水素含有鎖をグラフトしたシリコーンポリマー；シリコーン鎖をグラフトした炭化水素含有ポリマー；例えば、ポリヒドロキシステアリン酸型の可溶性のグラフト部と、ポリアクリル型の不溶性骨格を有するグラフト化コポリマー、またはＣ１−Ｃ４アルコールのアクリラートまたはメタクリラート、およびＣ８−Ｃ３０のアルコールのアクリラートまたはメタクリラートをベースとしたコポリマー、例えばメタクリル酸ステアリル／メタクリル酸メチルのコポリマーを挙げることができる。
　【００４５】
　少なくとも１つのポリオルガノシロキサン型のブロックと少なくとも１つのラジカルポリマーのブロックを含有するグラフト化または連鎖状ブロックコポリマーとしては、特に、非水性媒体がシリコーン媒体である場合に使用され得るアクリル／シリコーン型のグラフト化コポリマーを挙げることができる。
　少なくとも１つのポリオルガノシロキサン型のブロックと少なくとも１つのポリエーテルのブロックを含有するグラフト化または連鎖状ブロックコポリマーとしては、ジメチコーンのコポリオール、例えば、ダウコーニング社から「ダウコーニング３２２５Ｃ」の名称で販売されているもの、またはラウリルメチコーン、例えば、ダウコーニング社から「ダウコーニングＱ２−５２００」の名称で販売されているものを使用してよい。
　【００４６】
　一般に水素化または非水素化ジエン（類）と称される、最終的に抱合される、エチレン性結合を有するモノマーの重合により生じる少なくとも１つのブロックとビニルポリマーの少なくとも１つのブロックを含有するグラフト化または連鎖状ブロックコポリマーとしては、連鎖状コポリマー、特に、ポリスチレン／コポリ（エチレン−ブチレン）型、またはシェルケミカル（Ｓｈｅｌｌ　Ｃｈｅｍｉｃａｌ）社から「クレイトン（Ｋｒａｔｏｎ）」の名称で販売されているもののようなポリスチレン／コポリ（エチレン−プロピレン）型、またはＢＡＳＦ社から「ルビトール（Ｌｕｖｉｔｏｌ）ＨＳＢ」の名称で販売されているもののような、ポリスチレン／ポリブタジエン型、またはポリスチレン／ポリイソプレン型の「ジブロック」または「トリブロック」型のものを挙げることができる。
　【００４７】
　水素化または非水素化ジエンの重合により生じる少なくとも１つのブロックと少なくとも１つのアクリルポリマーのブロックを含有する、グラフト化または連鎖状ブロックコポリマーとしては、二連または三連の、ポリ（メチルメタクリラート）／ポリイソブチレンのコポリマーまたはポリイソブチレングラフトとポリ（メチルメタクリラート）骨格を含有するグラフト化コポリマーを挙げることができる。
　【００４８】
　水素化または非水素化ジエンの重合により生じる少なくとも１つのブロックとポリエーテルの少なくとも１つのブロックを含有するグラフト化または連鎖状ブロックコポリマーとしては、二連または三連の、ポリオキシエチレン／ポリブタジエンまたはポリオキシエチレン／ポリイソブチレンのコポリマーを挙げることができる。
　【００４９】
　ランダムポリマーが安定化剤として使用される場合、該ポリマーは、考慮される合成溶媒中に溶解せしめるのに十分な量の基を有するように選択される。
　よって、Ｃ１−Ｃ４アルコールのアクリラートまたはメタクリラート、およびＣ８−Ｃ３０アルコールのアクリラートまたはメタクリラートのコポリマーを使用することができる。特に、メタクリル酸ステアリル／メタクリル酸メチルのコポリマーを挙げることができる。
　【００５０】
　安定化剤として、好ましくは、粒子を最も完全に被覆するポリマーが選択され、安定化ポリマーのいくつかの鎖が重合により得られたポリマーの一粒子上に吸着する。
　この場合、より良好な界面活性を有するように、グラフト化ポリマーまたは連鎖状ポリマーを安定化剤として使用することが好ましい。これは、合成溶媒に不溶の連鎖状部またはグラフト部が、粒子の表面をより嵩張った状態で被覆するようになるからである。
　【００５１】
　さらに、液状脂肪相が少なくとも１つのシリコーン油を含有する場合、安定化剤は、好ましくは、ポリオルガノシロキサン型の少なくとも１つのブロックおよびラジカルポリマーまたはポリエーテルまたはポリエステルの少なくとも１つのブロックを含有する、グラフト化または連鎖状ブロックコポリマーからなる群から選択される。
　【００５２】
　液状脂肪相がシリコーン油を含有しない場合、安定化剤は、好ましくは、
−　（ａ）ポリオルガノシロキサン型の少なくとも１つのブロックおよびラジカルポリマーまたはポリエーテルまたはポリエステルの少なくとも１つのブロックを含有する、グラフト化または連鎖状ブロックコポリマー、
−　（ｂ）Ｃ８−Ｃ３０アルコールのアクリラートまたはメタクリラート、およびＣ１−Ｃ４アルコールのアクリラートまたはメタクリラートのコポリマー、
−　（ｃ）水素化または非水素化ジエンの重合により生じる少なくとも１つのブロック、およびポリエステルまたはポリエーテルまたはビニルまたはアクリルポリマーの少なくとも１つのブロック、またはそれらの混合物を含有する、グラフト化または連鎖状ブロックコポリマー：
からなるグループから選択される。
　【００５３】
　得られた分散体は、組成物、特に、化粧品用、製薬用および／または衛生用組成物、例えば、皮膚または唇のメークアップ用または手入れ用組成物、または髪用組成物、または抗日光用組成物、または皮膚の着色用組成物に使用することができる。
　用途に応じて、揮発性または非揮発性油への皮膜形成または非皮膜形成ポリマーの分散体の使用を選択することができる。
　【００５４】
　組成物は、着色物質として、一または複数の粉末状化合物および／または一または複数の脂溶性着色料を、例えば組成物の全重量に対して０．０１〜７０％の割合で含有し得る。粉末状化合物は、化粧品用および／または皮膚科学的組成物に通常使用されている顔料および／または真珠光沢剤および／またはフィラーから選択することができる。粉末状化合物は、有利には、組成物の全重量に対して０．１〜４０％、さらに好ましくは１〜３０％である。粉末状化合物の量を少なくすればする程、耐移り性と快適性が良好になる。耐移り性が粉末状化合物の量が減少しても高められるという事実は、今日まで、従来の組成物の耐移り性は粉末状化合物の量により高められていたのであるから、全く驚くべきことである。逆に言えば、皮膚または粘膜の乾燥度および不快適さが増加していた。
　【００５５】
　さらに、耐移り性は、液状脂肪相に分散可能なポリマーの量が増大すると高められる。実際、ポリマーは、活性物質として、組成物の全重量に対して６０％まで（活性物質または乾燥物質として）占めることができる。組成物の全重量に対して１２重量％を越え、６０重量％未満の活性ポリマー物質を使用すると、完全に耐移り性の皮膜が得られる。２〜１２重量％であると、有意の耐移り性効果はあるが、完全なものではない。よって、付着した皮膜の快適さを損なうことなく、耐移り性を望ましいように調節することが可能であり、これは従来の耐移り性組成物では不可能であった。
　【００５６】
　顔料（類）／ポリマーの重量比は、好ましくは、＜１、さらには≦０．９である。この比率は、好ましくは≦０．５である。この比率は、０．０１５まで下げることができる。０．５を越えると皮膜はわずかに移り、１を越えると皮膜はかなりの程度移る。
　【００５７】
　本発明の組成物は、有利には、組成物の全重量に対して少なくとも３０重量％の脂肪相を含有し得る。３０％以下では粒状および粉末状のテクスチャーが得られる。これは、非粒状で均質なクリーミーな外観のゲルまたは棒状体を得ようとする場合は、あまり望ましいものではない。
　【００５８】
　顔料は、白色または有色で、無機物および／または有機物であってよい。無機顔料としては、界面が処理されていてもよい二酸化チタン、酸化ジルコニウムまたは酸化セリウム、並びに、酸化鉄または酸化クロム、マンガンバイオレット、ウルトラマリンブルー、クロム水和物およびフェリックブルーを挙げることができる。有機顔料としては、カーボンブラック、Ｄ＆Ｃ型の顔料、アルミニウムまたはカルシウム、ストロンチウム、バリウムまたはコチニールカルミンをベースとしたレーキ類を挙げることができる。
　【００５９】
　真珠光沢剤は、白色の真珠光沢顔料、例えば、酸化チタンまたはオキシ塩化ビスマスで被覆されたマイカ、有色の真珠光沢顔料、例えば、酸化鉄を有する酸化チタン被覆雲母、特に、フェリックブルーまたは酸化クロムを有する酸化チタン被覆雲母、上述した種類の有機顔料を有する酸化チタン被覆雲母、およびオキシ塩化ビスマスをベースとした真珠光沢顔料から選択することができる。
　【００６０】
　フィラーは、無機または有機で、ラメラまたは球形のものとすることができる。このようなものとしては、タルク、マイカ、シリカ、カオリン、ナイロン［アトケム（Ａｔｏｃｈｅｍ）社のオルガソール（Ｏｒｇａｓｏｌ）］、ポリ−β−アラニンおよびポリエチレンパウダー、テフロン、ラウロイルリシン、デンプン、窒化ホウ素、ポリテトラフルオロエチレンポリマーのパウダー、中空のミクロスフェア、例えば、エクスパンセル（ノーベルインダストリー社）、ポリトラップ（ｐｏｌｙｔｒａｐ）（ダウコーニング社）およびシリコーン樹脂のマイクロビーズ［例えば、東芝のトスパール（Ｔｏｓｐｅａｒｌｓ）］、沈降炭酸カルシウム、炭酸マグネシウムおよび炭酸水酸化マグネシウム、ヒドロキシアパタイト、中空のシリカのミクロスフェア［マプレコス（Ｍａｐｒｅｃｏｓ）社のシリカビーズ］、ガラスまたはセラミックのマイクロカプセル；８〜２２の炭素原子、好ましくは１２〜１８の炭素原子を含有する有機カルボン酸から誘導される金属石鹸、例えば、ステアリン酸亜鉛、マグネシウムまたはリチウム、ラウリン酸亜鉛またはミリスチン酸マグネシウムを挙げることができる。
　【００６１】
　脂溶性着色料は、例えば、スーダンレッド（Ｓｕｄａｎ　ｒｅｄ）、ＤＣ　Ｒｅｄ　１７、ＤＣ　Ｇｒｅｅｎ　６、β−カロチン、大豆油、スーダンブラウン（Ｓｕｄａｎ　ｂｒｏｗｎ）、ＤＣ　Ｙｅｌｌｏｗ　１１、ＤＣ　Ｖｉｏｌｅｔ　２、ＤＣ　Ｏｒａｎｇｅ　５またはキノリンイエローである。これらは、組成物の重量に対して０．０１〜２０％、好ましくは０．１〜６％である。
　【００６２】
　本発明の組成物のポリマーは、着色物質および／または活性成分を捕捉する網状構造を形成する皮膜を、皮膚、唇および／または粘膜上に形成することができる。安定化ポリマーの量に対して使用される着色物質の量に応じて、多かれ少なかれ光沢があり、多かれ少なかれ耐移り性を有する皮膜を得ることができる。
　【００６３】
　本発明で使用することができる化粧品用、皮膚科学的、衛生用または製薬用活性成分としては、保湿剤、ビタミン類、必須脂肪酸、スフィンゴ脂質またはサンスクリーン剤を挙げることができる。これら活性成分は、当業者にとって通常の量、特に組成物の全重量に対して０．００１〜２０重量％の濃度で使用される。
　【００６４】
　本発明の組成物は、考慮される用途の種類に応じて、考慮される分野において従来より使用されている構成成分を、所望の製薬的投与形態に適した量で含有し得る。
　特に、ポリマーが安定化されている液状脂肪相に加えて、植物、動物、鉱物または合成由来、実はシリコーン由来のロウ、油、ガムおよび／またはペースト状脂肪相、およびそれらの混合物から選択される付加的な脂肪相をさらに含有してもよい。
　【００６５】
　本発明の組成物中に存在し得る、室温で固体状のロウとしては、炭化水素含有ロウ、例えば、ミツロウ、カルナウバロウ、キャンデリラロウ、オーリクリーロウ（ｏｕｒｉｃｕｒｙ　ｗａｘ）、モクロウ、コルク繊維ロウ、またはサトウキビロウ、パラフィンまたは褐炭ロウ、マイクロクリスタリンワックス、ラノリンロウ、モンタンロウ、オゾケライト、ポリエチレンロウ、フィッシャー−トロプシュの合成により得られるロウ、水素化された油、２５℃で固体のグリセリドおよび脂肪エステルを挙げることができる。また、シリコーンロウを使用することもでき、このようなものとしては、ポリメチルシロキサンのアルキル、アルコキシおよび／またはエステルを挙げることができる。ロウは、コロイド状のロウ粒子の安定した分散物の形態で提供することができ、公知の方法、例えば、アカデミックプレス社から出版されている、エル・エム・プリンス（Ｌ．Ｍ．　Ｐｒｉｎｃｅ）の「マイクロエマルションの理論と実際」（１９７７）の２１−３２頁に記載されている方法により調製することができる。室温で液状のロウとしては、ホホバ油を挙げることができる。
　ロウは、組成物の重量に対して０〜５０重量％、好ましくは１０〜３０重量％の割合で存在する。
　【００６６】
　また、組成物は、このような組成物に従来より使用されている任意の添加剤、例えば、増粘剤、酸化防止剤、香料、防腐剤または界面活性剤をさらに含有してもよい。もちろん、当業者であれば、考慮される添加により、本発明の組成物の有利な特性が、全くまたは実質的に悪影響を受けないように留意して、添加可能な化合物および／またはそれらの量を選択するであろう。
　【００６７】
　本発明の特定の実施態様において、本発明の組成物は当業者により常法によって調製することができる。これらは、成型製品の形態、例えば直接接触して、またはスポンジを使用して使うことのできる皿状の形態、または棒状の形態で提供することができる。特に、これらは、成型ファンデーション、成型ほほ紅またはアイシャドウ、口紅、唇の手入れ用バームまたはベース、または眼の下用のコンシーラとしての適用が見いだされる。また、これらは、２５℃での粘性係数が１〜４０Ｐａ・ｓのオーダーである柔軟なペースト状の形態、または多かれ少なかれ流動的なクリームまたはゲルとして提供することもできる。さらに、これらは、ファンデーションまたは口紅、抗日光用製品、または皮膚を着色するための製品を構成することもできる。
　【００６８】
　本発明の組成物は、有利には無水物であり、組成物の全重量に対して５重量％未満の水を含有する。さらに、これらは、特に、油性ゲル、油性の液体または油、ペーストまたは棒状体の形態、またはイオン性および／または非イオン性の脂質を含有する小胞体分散体の形態で提供することもできる。これらの製薬的投与形態は、考慮される分野における通常の方法で調製される。
　【００６９】
　これら局所適用用の組成物は、特に、顔、首、手またはボディの保護、トリートメントまたは手入れ用の、化粧品用、皮膚科学的、衛生用または製薬用組成物（例えば、無水の手入れ用クリーム、抗日光用オイルまたはボディゲル）、メークアップ用組成物（例えば、メークアップゲル）、または人工的に日焼けした状態とする組成物を構成することもできる。
　【００７０】
　【実施例】
　本発明を以下の実施例により詳細に説明する。
実施例１：ポリマー分散体
　８５／１５の比率のアクリル酸メチルとアクリル酸との架橋していないコポリマーの分散体を、ヘプタンをイソドデカンに換えた以外は、欧州特許出願公開第７４９７４６号公報の実施例１の方法に従い、イソドデカン中で調製した。このようにして、クレイトンＧ１７０１（シェル社）の名称で販売されているポリスチレン／コポリ（エチレン−プロピレン）の連鎖状ジブロックコポリマーによりイソドデカン中で界面安定化されたポリ（アクリル酸メチル／アクリル酸）粒子の分散体が得られ、これは、乾燥重量での含有量が２２．６重量％で、１７５ｎｍまでの平均粒径を有し（多分散性：０．０５）、Ｔｇは２０℃であった。このコポリマーは皮膜を形成することができる。
　【００７１】
実施例２：口紅
　以下の組成を有する流動形態の口紅を調製した：
　　・実施例１の分散体　　　　　　　　　　　　　　　　　　　　９０．７ｇ
　　・パーリーム油　　　　　　　　　　　　　　　　　　　　　　　２．１ｇ
　　・オクチルドデカノール　　　　　　　　　　　　　　　　　　　０．９ｇ
　　・ＰＶＰ／エイコセン　　　　　　　　　　　　　　　　　　　　１．２ｇ
　　・フェニルトリメチコーン　　　　　　　　　　　　　　　　　　２．１ｇ
　　・顔料　　　　　　　　　　　　　　　　　　　　　　　　　　　３．０ｇ
　顔料には、ＤＣ　Ｒｅｄ　２７、ＤＣ　Ｒｅｄ　７、ＤＣ　Ｒｅｄ　３６、黒酸化鉄および褐酸化鉄の混合物が含まれる。
　【００７２】
　顔料を油中で粉砕した後、種々の成分を室温で単に混合することにより、組成物を調製した。容易に塗布することができ、快適性、柔軟性を有する非粘着質の皮膜をもたらす口紅が得られた。さらに、この皮膜は光沢があり、完全な「耐移り性」を有している。また非常に良好な耐水性があり、従来のメークアップ除去用オイルで除去することができた。
　【００７３】
　この口紅に関する官能テストを数人の被験者に対して行った。耐移り性のテストは、次の条件下で行った：唇に製品を塗布し、戸外で２分間乾燥させ、ついで、濾紙に唇を当てた。このテストを、１０分の乾燥時間として同様の条件で繰り返した。耐移り性は、９８％の有効性を有していると判断された。
　【００７４】
　さらに、耐移り性テストの被験者は、製品を、展伸が容易で、良好な被覆範囲と強調された色彩を有する均一な付着メークアップをもたらすものであると判定した。唇の輪郭も鮮明であった。製品のテクスチャーは、流動的で好ましい適用感があると判定された。メークアップの除去は、跡を残すことなく、従来のメークアップ除去剤［シェ・ランコム（Ｃｈｅｚ　Ｌａｎｃｏｍｅ）のビファシル（Ｂｉｆａｃｉｌ）］を用いてなされた。
　【００７５】
実施例３：口紅
　以下の組成を有する棒状形態の口紅を調製した：
　　・ポリマー分散体（＊）　　　　　　　　　　　　　　　　　４８．３ｇ
　　・パーリーム油　　　　　　　　　　　　　　　　　　　　　　７．０ｇ
　　・オクチルドデカノール　　　　　　　　　　　　　　　　　　３．０ｇ
　　・ＰＶＰ／エイコセン　　　　　　　　　　　　　　　　　　　４．０ｇ
　　・ＤＣ　Ｒｅｄ　２７　　　　　　　　　　　　　　　　　　　２．２ｇ
　　・フェニルトリメチコーン　　　　　　　　　　　　　　　　　７．０ｇ
　　・ＤＣ　Ｒｅｄ　７　　　　　　　　　　　　　　　　　　　　４．２ｇ
　　・ＤＣ　Ｒｅｄ　３６　　　　　　　　　　　　　　　　　　　１．１２ｇ
　　・黒酸化鉄　　　　　　　　　　　　　　　　　　　　　　　　０．０８ｇ
　　・褐酸化鉄　　　　　　　　　　　　　　　　　　　　　　　　２．４ｇ
　　・ポリエチレンロウ（ポリワックス５００）　　　　　　　　２０．７ｇ
　【００７６】
　ポリマーは、９５％のアクリル酸メチルと５％のアクリル酸を用いて、前記実施例に従い調製した。
　組成物は、次のようにして調製した：穏やかに加熱した油中で顔料を粉砕し；１００℃でポリエチレンロウを添加し；わずかに冷却し、ついでポリマー分散体を添加し、最後に棒状形態の口紅にするために、適当な鋳型で成型した。
　【００７７】
　この口紅に関する官能テストを、従来の口紅［ロレアルのカラー・エンデュア（Ｃｏｌｏｕｒ　Ｅｎｄｕｒｅ）］と比較して、数人の被験者に対して行った。耐移り性のテストは次の条件下で行った：唇に製品を塗布し、戸外で２分間乾燥させ、ついで、濾紙に唇を当てた。このテストを、１０分の乾燥時間として同様の条件で繰り返した。
　【００７８】
　２つの製品は等しく塗布が容易であった。本発明のスティックはより硬いために、メークアップはより正確にできる。メークアップ効果は、両方の製品とも均質であったが、本発明のスティックの方が、より鮮やかで、光沢があると判定された。両方の製品ともべとつかず軽い感じがあり突張感がない。従来の製品も非常に良好な耐移り性を有していることが知られているが、本発明のスティックでの移りはさらに目立たなかった。メークアップの除去は両方の製品とも容易で、唇に跡は残らなかった。
　【００７９】
実施例４：口紅
　以下の組成を有する流動形態の口紅を調製した：
　　・実施例１の分散体　　　　　　　　　　　　　　　　　　　９２．５０ｇ
　　・パーリーム油　　　　　　　　　　　　　　　　　　　　　　１．３５ｇ
　　・ＰＶＰ／ヘキサデセン　　　　　　　　　　　　　　　　　　３．１５ｇ
　　・顔料　　　　　　　　　　　　　　　　　　　　　　　　　　３．０ｇ
　顔料には、ＤＣ　Ｒｅｄ　２７、ＤＣ　Ｒｅｄ　７、ＤＣ　Ｒｅｄ　３６、黒酸化鉄および褐酸化鉄の混合物が含まれる。
　この口紅を実施例２で行ったようにして調製した。これは容易に塗布できた。メークアップは艶やかで、耐水性があり、非常に良好な耐移り性を示した。
　【００８０】
光沢度および硬度テスト
　顔料を３％、実施例１のポリマー分散体を１００％に対する残りの分量で含有する比較組成物Ｃ１を調製した。さらに、顔料を３％、ＰＶＰ／ヘキサデセンを４．５％、実施例１のポリマー分散体を１００％に対する残りの分量で含有する本発明の組成物Ｃ２を調製した。これらの組成物の皮膜を、対比カードおよびガラス上に付着させたところ、それぞれ硬度は５７と２２、光沢度は１２．８と２０．７と測定された。硬度や光沢度の値が高くなればなる程、皮膜はより硬くなり、より艶やかになる。脂溶性ポリマーにより、皮膜の光沢度や硬度が増加することが明白になった。
　【００８１】
　口紅の皮膜が適切なものであるためには、硬度は１１０未満、好ましくは５０未満でなくてはならない。さらに光沢のある皮膜とは、光沢度が６０を越える皮膜である。３０を越える光沢度を有する皮膜は艶やかである。
　皮膜の硬度を、３０℃、相対湿度５０％で２４時間乾燥させた後に得られた３００μｍ厚の皮膜を、パーソズ振子振動器（Ｐｅｒｓｏｚ　ｐｅｎｄｕｌｕｍ　ｓｗｉｎｇｉｎｇ）を用いて測定した（標準ＮＦ−Ｔ−３０−０１６による方法）。光沢度はポータブルＢｙｋガードナー光沢測定器（Ｇａｒｄｎｅｒ　ｇｌｏｓｓｍｅｔｅｒ）を使用して測定した。
　【００８２】
　３％の顔料、１０％のＰＶＰ／ヘキサデセンを含有し、残りが実施例１のポリマー分散体である本発明の組成物Ｃ３では、硬度２９．２と光沢度７７．９が得られた。
　３％の顔料、１０％のＰＶＰ／ヘキサデセン、残り１００％になるように実施例１のポリマー分散体を含有する本発明の組成物Ｃ４では、硬度２８．２と光沢度８３．５が得られた。
　【００８３】
　１０％のＰＶＰ／ヘキサデセンと、残り１００％になるように実施例１のポリマー分散体を含有する本発明の組成物Ｃ５では、硬度３５．８と光沢度８０．２が得られた。
　５％のＰＶＰ／ヘキサデセンと、残り１００％になるように実施例１のポリマー分散体を含有する本発明の組成物Ｃ６では、硬度２５．９と光沢度６６．６が得られた。